(57)【要約】      （修正有）【課題】購入した商品を入れたレジ袋の開口部を閉じる作業効率アップと、開口部を閉じた後、店内での不正使用を防止するためのレジ袋を提供する。【解決手段】レジ袋の一方を長くした長結束片部３の内側に、長結束片部の先端を指で摘むことができる摘み部を残し、一方の短結束片部２の先端のところまでの間にゴム系の粘着材を塗布し、塗布した粘着部の中心で折り重ね合わせる。また、開口部を閉じるため袋本体４に貼り付けた粘着部分を剥がすと、袋本体が破けるようにするため、袋本体４に切れ目５を設けることを特徴とする。【選択図】図１０
0003163674.tif 000002
【実用新案登録請求の範囲】
【請求項１】
筒状の合成樹脂シートの両端がシールされ下端は底部として、上端はＭ字状にカットされその両端は把手部として、中央部は結束片部としたレジ袋において、結束片部に開口部を閉じるための粘着機能を持たせるため、（１）結束片部の内側にゴム系の粘着材を塗布し、塗布された部分の中央で折り重ね合わせることとし、（２）結束片部の先端を折り重ね合わせた粘着部分を剥がすことと、粘着部分を袋本体の貼りたいところに誘導するための摘み部を有することを特徴としたレジ袋。
【請求項２】
請求項１記載の結束片部に粘着機能を持たせる他の方法として、一定の長さの合成樹脂系のテープ状のものの端を指で摘める程度を残し、残りの部分にゴム系の粘着材を塗布し、袋本体に貼り付ける粘着部分を除く粘着部分の中心で、折り重ね合わせた結束部位を結束片部に貼り付けることを特徴としたレジ袋。
【請求項３】
開口部を閉じた後、袋本体に貼り付けられた請求項１記載の粘着機能を有する結束片部や請求項２記載の粘着機能を有する結束部位を剥がそうとすると、袋本体が破けるようにするため、袋本体に切れ目を設けることを特徴とした、請求項１または２記載のレジ袋。
【考案の詳細な説明】
【技術分野】
【０００１】  本考案は、購入した商品を入れたレジ袋の開口部を閉じる作業能率アップと、開口部を閉じた後、店内での不正使用を防止するためのレジ袋に関するものである。
【背景の技術】
【０００２】  レジ袋は購入した商品を持ち帰るために入れる袋で、レジで渡されたり、直接レジ係りの人が会計と同時に商品を入れてくれる。商品を入れ終えると商品が出ないように又、会計を済ました後、不正に商品を入れられないようにセロハンテープ等で開口部を閉じる。しかし、閉じるために貼る粘着テープはレジやお客自身が商品を入れる作業台に用意されたディスペンサーから適当な長さに切り取る必要と、切り取ったテープの粘着部分を指先に付け、開口部に隙間がないように結束片部を袋本体に重ねる作業をしながらテープを貼るため、思ったところに綺麗に貼れないことが多い。特に、お客が多く急いで作業をしないといけない場合等は、貼り付けが雑になりやすい。また、開口部を閉じた後のレジ袋において、貼り付けた粘着テープを剥がし、万引きに利用されることもある。最近では万引き防止のためエコバックの推奨を止め、レジ袋に戻すところも出てきている。そこで、これまで幾つかの考案がなされている。例として、粘着テープを用いることなく迅速に開口部を閉じることが可能なもの（例えば、特許文献１）、等が考案されている。【特許文献１】特開２００７−２３８１３６
【考案の開示】
【考案の解決しようとする課題】
【０００３】  レジ袋は、スーパーマーケット等において、購入した商品を持ち帰りるための袋である。購入した商品はレジで会計と同時にレジ係りが入れる場合と、レジ係りから受取ったレジ袋に購入者自身が入れる場合がある。商品を入れ、開口部を閉じる方法としては、セロンテープ等の粘着テープで結束片部を袋本体に貼り合わる方法が一般的である。粘着テープは、レジや客用の作業台に設置されているディスペンサーから、いちいち適当な長さに切り取り、切り取った粘着テープを指先に付けた状態で、開口部を閉じる作業をしながら結束片部を袋本体に貼り合わせるため、素早く綺麗に貼り付けことはなかなか難しい。特にお店が混んでいる時は、レジ係りも焦りから雑な貼り付けとなってしまう。更に、お客もレジの進みが悪くなる事から苛立つ客も出てくる。そこで、粘着テープを切り取る手間と、切り取った粘着テープを指先に付けながら開口部を閉じ、、結束片部を袋本体にしっかり貼り付けることが難しかった欠点と、会計を済ませた後、開口部を閉じるための粘着テープを剥し、万引き等に不正使用されていた欠点を解決しようとするものである。
【課題を解決するための手段】
【０００４】  前記目的を達成するため本発明は、一方を長くした長結束片部（３）の内側に、長結束片部の先端を指で摘むことができる摘み部（７）を残し、片方の短い短結束片部（２）の先端のところまでの間にゴム系の粘着材を塗布し、塗布した粘着部（６）の中心（８）で折り重ね合わせることを特徴とする。
【０００５】  本発明はまた、前記の長結束片部（３）に粘着機能を持たせる他の方法として、一定の長さの合成樹脂系のテープ状のものの端を指で摘むための摘み部（１０）を残し、残りの部分にゴム系の粘着材を塗布し、短結束片部（２）に貼り付けるための粘着部分（１１）を除く粘着部分の中心（１２）で、折り重ね合わせた結束部位（９）を短結束片部（２）に貼り付けることを特徴とする。
【０００６】  本発明はまた、開口部を閉じるため袋本体（４）に貼り付けた粘着部分（６）を剥がすと、袋本体が破れるようにするため、袋本体（４）に切れ目（５）を設けることを特徴とする。
【考案の効果】
【０００７】  貼り付けた粘着テープをいちいち切り取る必要がなくなる。
【０００８】  開口部を閉じる一連の作業で、指先に切り取った粘着テープを付けての作業でなく、両手をしっかり使えるようになることから、開口部を閉じる作業能率がアップする。
【０００９】  ディスペンサーを設置する必要がなくなる。
【００１０】  スムーズなレジの流れに繋がることから、渋滞によるお客の不満を和らげられる。
【００１１】  万引き等への不正再使用を防止できることから、店の損害軽減に繋がる。
【００１２】  一度、閉じた開口部を開く時は、袋本体が破れることから再利用が不可能となり、袋を汚すことなく資源ごみとして捨てられるため、これまで低かったレジ袋のリサイクル率を上げられる。又、ゴミとして外に捨てられるレジ袋を減らすことに繋がる。
【考案を実施するための最良な形態】
【００１３】  筒状の合成樹脂シートの両端がシールされ下端は底部として、上端はＭ字状にカットされその両端は把手部として、中央部は結束片部としたレジ袋において、一方を長くした長結束片部（３）の内側に、長結束片部の先端を指で摘むことができる摘み部（７）１０ｍｍ程度を残し、片方の短結束片部（２）の先端のところまでの間にゴム系の粘着材を塗布し、塗布した粘着部（６）の中心（８）で折り重ね合わせる。
【００１４】  袋本体（４）が破けるように誘導する切れ目（５）は、袋巾の中心線上の袋底から３分の２の高さの位置に５ｍｍ角程度のＶ字の切れ目を設け、位置が分かるように印をつける。
【図面の簡単な説明】
【００１５】
【図１】短結束片部側のレジ袋の平面図
【図２】長結束片部側のレジ袋の平面図
【図３】粘着材を塗布する部分を示した長結束片部の平面図
【図４】粘着材を塗布した部分を折り合わせた状態の長結束片部の平面図
【図５】長結束片部に粘着材を塗布した状態のＡ−Ａ断面図
【図６】長結束片部の粘着材塗布した部分を折り合わ合わせた状態のＡ−Ａ断面図
【図７】短結束片部に結束部位を貼り付けた状態の平面図
【図８】短結束片部に結束部位を貼り付けた状態のＢ−Ｂ断面図
【図９】長結束片部に粘着機能をもたせる前のレジ袋の斜視図
【図１０】長結束片部に粘着機能をもたせた状態のレジ袋の斜視図
【図１１】結束片部を袋本体の切れ目部分に貼り付けた状態のレジ袋の斜視図
【図１２】貼り付けた結束片部を剥がし、袋本体が裂けた状態のレジ袋の斜視図
【符号の説明】
【００１６】１    把手部２    短結束片部３    長結束片部４    袋本体５    切れ目６    長結束片部の粘着部７    長結束片部の摘み部８    長結束片部の粘着部中心９    結束部位１０  結束部位の摘み部１１  結束部位の短結束片部に貼り付ける粘着部分１２  結束部位の袋本体に貼り付ける粘着部分中心１３  袋本体の破れ
【図１】
0003163674.tif 000003
【図２】
0003163674.tif 000004
【図３】
0003163674.tif 000005
【図４】
0003163674.tif 000006
【図５】
0003163674.tif 000007
【図６】
0003163674.tif 000008
【図７】
0003163674.tif 000009
【図８】
0003163674.tif 000010
【図９】
0003163674.tif 000011
【図１０】
0003163674.tif 000012
【図１１】
0003163674.tif 000013
【図１２】
0003163674.tif 000014